(57)【要約】      （修正有）【課題】充電が極めて便利で、手袋、靴又は服等の多くの製品に着脱自在に結合できて適度の温度に保温でき、さらにメンテナンスがし易く、製品の水洗いも可能な無線充電式電熱パッドを提供する。【解決手段】製品に着脱可能に結合される無線充電式電熱パッドであって、受信回路と、発光素子と、パッド本体とを含む。受信回路は、二次電池を有し、発熱素子が二次電池に電気的に接続され、発熱素子と受信回路とがいずれもパッド本体に設けられ、製品に可動式位置決め構造が設けられ、無線充電式電熱パッドは、可動式位置決め構造により製品に着脱可能に結合される。充電装置と受信回路の間で無線伝送した交流信号を電気に変換して二次電池に電気を蓄えて発光素子に電気を供給して発熱させる。【選択図】図２Ａ
0003167848.tif 000002
【実用新案登録請求の範囲】
【請求項１】
製品に結合されるとともに、電源ユニットが接続された発射回路を有する充電装置に配合して無線充電をし、前記電源ユニットは、前記発射回路に電気を供給し、前記発射回路は、該電気を交流信号に変換する無線充電式電熱パッドであって、
二次電池を有する受信回路と、
前記二次電池に電気的に接続された発光素子と、
前記発熱素子と前記受信回路とが設けられたパッド本体とを含み、
前記製品に可動式位置決め構造が設けられ、前記発熱素子と前記受信回路とが設けられた前記パッド本体が前記可動式位置決め構造を介して前記製品に着脱可能に結合され、
前記充電装置の発射回路は、前記受信回路に交流信号を無線伝送するとともに、該交流信号が前記受信回路により電気に変換され、前記二次電池に前記電気を蓄えて前記発光素子に電気を供給する無線充電式電熱パッド。
【請求項２】
前記可動式位置決め構造は、前記製品に設けられ、開口をさらに有する受容部であり、前記無線充電式電熱パッドは、前記開口を経由して前記受容部内に収納されたことを特徴とする請求項１に記載の無線充電式電熱パッド。
【請求項３】
前記製品は、前記可動式位置決め構造が設けられた衣服であり、前記可動式位置決め構造は、開口を有する受容部であり、前記無線充電式電熱パッドは、前記開口を経由して前記衣服の受容部内に収納されたことを特徴とする請求項１に記載の無線充電式電熱パッド。
【請求項４】
前記製品は、前記可動式位置決め構造を有する手袋であり、前記可動式位置決め構造は、開口を有する受容部であり、前記無線充電式電熱パッドは、前記開口を経由して前記手袋の受容部内に収納されたことを特徴とする請求項１に記載の無線充電式電熱パッド。
【請求項５】
前記パッド本体は、付加型シューズマットであり、前記製品は、前記可動式位置決め構造を有する靴であり、前記可動式位置決め構造は、足を収納するためのものであって足を入れるための開口を有する受容部であり、前記シューズマットは、前記開口を経由して前記靴の受容部内に収納されたことを特徴とする請求項１に記載の無線充電式電熱パッド。
【請求項６】
前記充電装置は、前記電源ユニットが接続された前記発射回路を有する足踏みマットであることを特徴とする請求項５に記載の無線充電式電熱パッド。
【請求項７】
前記充電装置は、前記電源ユニットが共有して接続された複数の前記発射回路を有する靴置きマットであることを特徴とする請求項５に記載の無線充電式電熱パッド。
【請求項８】
前記充電装置は、前記電源ユニットが電気的に接続された前記発射回路を有する本体を含むことを特徴とする請求項５に記載の無線充電式電熱パッド。
【請求項９】
前記充電装置の発射回路は、電気を供給するための前記電源ユニットに電気的に接続され、該電気を交流信号に変換する振動分周回路と、前記振動分周回路に電気的に接続され、前記振動分周回路により変換された交流信号を増幅させる駆動増幅回路と、前記駆動増幅回路に電気的に接続され、前記増幅された交流信号を同調させる一次発射共振回路と、前記一次発射共振回路と前記振動分周回路との間に電気的に接続され、前記同調された交流信号を前記受信回路に発送する発射コイルとを含み、これらの振動分周回路、駆動増幅回路、一次発射共振回路及び発射コイルの各々が電気的に直列接続されたことを特徴とする請求項１に記載の無線充電式電熱パッド。
【請求項１０】
前記発射回路は、前記発射コイルに電気的に接続され、前記発射コイルからの交流信号を制御調節回路にフィードバックするフィードバック検知回路と、前記振動分周回路に電気的に接続され、前記振動分周回路の振動頻度を調節する制御調節回路とをさらに含み、前記フィードバック検知回路と前記制御調節回路とが夫々電気的に接続され、前記フィードバック検知回路と前記制御調節回路とが前記振動分周回路、前記駆動増幅回路、前記一次発射共振回路及び前記発射コイルの各々にも電気的に直列接続されたことを特徴とする請求項９に記載の無線充電式電熱パッド。
【請求項１１】
前記受信回路は、前記発射回路からの交流信号を受信する受信誘導コイルと、前記受信誘導コイルに電気的に接続され、前記交流信号を同調させる二次受信共振回路と、前記二次受信共振回路に電気的に接続され、前記同調された交流信号を整流、定圧して電気に変換させるAＣ/DＣ整流平滑定電圧回路と、前記AＣ/DＣ整流平滑定電圧回路に電気的に接続され、前記AＣ/DＣ整流平滑定電圧回路により変換された電気を蓄える二次電池とをさらに含むことを特徴とする請求項１に記載の無線充電式電熱パッド。
【請求項１２】
前記受信回路は、前記二次電池の電気供給のオン／オフを制御するスイッチをさらに含むことを特徴とする請求項１又は１１に記載の無線充電式電熱パッド。
【考案の詳細な説明】
【技術分野】
【０００１】
本考案は、無線充電式電熱パッドに関し、特に、無線充電で発熱可能となり、保温、暖め維持効果を有し、衣服や、布団、絨毯、靴、手袋、マフラー、枕、治療敷きマット、帽子、座布団又はマットレスなどの製品に適用できる無線充電式電熱パッドに関する。
【背景技術】
【０００２】
寒さの厳しい厳冬において、現在の寒さ対策として、服を多めに着るとかして防寒しているが、服を多めに着るほど、身体上の負担が重くなり、活動が益々不便となってしまう。布団や絨毯の場合、布団や絨毯の重さが重ければ、これらを体にかけると、全身か圧迫されるように感じられる。いずれにせよ、上記のような欠点が長く指摘されてきた。
【考案の開示】
【考案が解決しようとする課題】
【０００３】
上記した欠点を改善するため、衣服や布団又は絨毯などの製品内に電熱手段を付けること（例えば、衣服内に電熱手段を付けて形成された電熱服、或いは絨毯内に電熱手段を付けて形成されたホットカーペットなどの製品）により、保温、暖め維持効果を有することが提案された。
【０００４】
しかしながら、上記した従来の電熱服、又はホットカーペットなどの製品は、充給電のいずれも有線接続の方式を用いている。すなわち、電源線を差し込まなければならないので、充電時に大きな不便となる。また、従来では、衣服や布団又は絨毯などの製品内に電熱手段が固定されていたので、水洗いができず、且つ、一旦電熱手段が壊れると、電熱手段付き衣服、布団又は絨毯を新しく買わなければならないので、大きな無駄遣いとなり、且つ、再生できず環境汚染の心配もある。
【０００５】
そのため、無線充電可能となり可動式で着脱自在な本考案を、どうすれば設計できるかが、本考案が解決しようとする課題である。
【０００６】
本考案は、非接触の無線充電方式によって、充電時に極めて便利となり、手袋、靴又は服などの製品に無線充電式電熱パッドが結合されることにより、該製品を着用する人の体に保温、暖め維持及び乾燥維持の効果を付与し、可動式位置決め構造により無線充電式電熱パッドが着脱自在になり、無線充電式電熱パッドを取り外した後に、該電熱パッドをメンテナンスし易くなり、製品の水洗いも可能で、水洗いによるショート、故障への心配がなくなるなどの効果を備える無線充電式電熱パッドを提供することを目的とする。
【課題を解決するための手段】
【０００７】
前記目的を達成するため、本考案による無線充電式電熱パッドは、製品に結合されるとともに、電源ユニットが接続された発射回路を有する充電装置に配合して無線充電をし、前記電源ユニットは、前記発射回路に電気を供給し、前記発射回路は、該電気を交流信号に変換する無線充電式電熱パッドであって、受信回路と、発光素子と、パッド本体とを含む。前記受信回路は、二次電池を有し、前記発熱素子が前記二次電池に電気的に接続され、前記発熱素子と前記受信回路とがいずれも前記パッド本体に設けられ、前記製品に可動式位置決め構造が設けられ、前記発熱素子と前記受信回路とが設けられた前記パッド本体が前記可動式位置決め構造を介して前記製品に着脱可能に結合され、前記充電装置の発射回路は、前記受信回路に該交流信号を無線伝送するとともに、該交流信号が前記受信回路により電気に変換され、前記二次電池に前記電気を蓄えて前記発光素子に電気を供給する。
【考案の効果】
【０００８】
本考案は、充電時に無線充電により極めて便利となり、手袋、靴又は服などの製品に無線充電式電熱パッドが結合されたときに、該製品を着用する人の体に対して保温、暖め維持及び乾燥保持の効果を付与することができる。無線充電式電熱パッドを着脱しようとする場合には、可動式位置決め構造により着脱自在になるので、無線充電式電熱パッドを取り外した後に、該電熱パッドがメンテナンスし易くなり、また製品の水洗いも可能で、水洗いによるショート、故障への心配がなくなるなどの効果を有する。
【０００９】
本考案の特徴、特点及び技術内容をさらに深く了解を得るため、以下の本考案に係る詳細説明及び添付図面を参照すれば得られるが、前記添付図面は参考や説明のみ提供され、本考案を局限するものではない。
【図面の簡単な説明】
【００１０】
【図１Ａ】図１Ａは、本考案による第１実施例を示す斜視図である（製品の受容部内に電熱パッドが収納された図である）。
【図１Ｂ】図１Ｂは、本考案による第１実施例を示す平面図である（製品の受容部内に電熱パッドが収納されていない図である）。
【図１Ｃ】図１Ｃは、本考案の回路ブロック図である。
【図２Ａ】図２Ａは、本考案による第２実施例を示す平面図である（図中の製品が充電装置の本体に置かれていない図である）。
【図２Ｂ】図２Ｂは、本考案による第２実施例の他の態様を示す斜視図である（充電装置の他の態様が示された図である）。
【図３】図３は、本考案による第３実施例を示す図である。
【考案を実施するための形態】
【００１１】
本考案による無線充電式電熱パッドは、交流信号を介して無線充電式電熱パッドにエネルギーを無線伝送で発受信させて充電を行い、実施する時には、ユーザが、製品（衣服や、布団、絨毯、靴、手袋、マフラー、枕、治療敷きマット、帽子、座布団又はマットレスなど）に、着脱自在の無線充電式電熱パッドを利用する。これにより、無線充電式電熱パッドが生じる熱により保温、暖め維持の効果に達する。充電するときには、非接触の無線充電方式を用いるので、充電時の便利性を有する。さらに、無線充電式電熱パッドを取り外してメンテナンスが可能となる。無線充電式電熱パッドが取り外された製品は、水洗い可能な効果を有し、水洗いによるショート、故障への心配がなくなる。
【００１２】
無線充電式電熱パッド５、５ａ、５ｂは、製品１、２、３に結合される。無線充電式電熱パッド５、５ａ、５ｂは、発射回路６１を有する充電装置６、６ａ、６ｂに配合して無線充電をする。発射回路６１には電源ユニット６２が接続され、電源ユニット６２は、発射回路６１に電気を供給し、発射回路６１は、該電気を交流信号に変換して、無線充電式電熱パッド５、５ａ、５ｂの受信回路５１に受信されて該電気を蓄える。
【００１３】
＜第１実施例＞
図１Ａ〜図１Ｂに示すように、本考案の第１実施例は製品１が手袋である場合を示す。無線充電式電熱パッド５は、充電装置６の無線充電により電気を得て発光素子５２を発熱させて、保温、暖め維持効果を達する。
【００１４】
無線充電式電熱パッド５は、パッド本体５０と、夫々がパッド本体５０に設けられた受信回路５１及び発光素子５２とを含む。受信回路５１は、二次電池５１４を有し、二次電池５１４が発熱素子５２に電気的に接続され、発光素子５２に電気を供給して発熱させる。
【００１５】
製品１には可動式位置決め構造１１が設けられ、第１実施例の場合、該製品１は手袋であり、可動式位置決め構造１１は、例えば、ポケット式の受容部１１１であり、受容部１１１がサンドイッチのように手袋に設けられ、受容部１１１が開口１１２をさらに有し、無線充電式電熱パッド５が開口１１２を経由して手袋の受容部１１１内に収納されている。よって、無線充電式電熱パッド５が手袋に着脱可能に結合され、ユーザは、可動式位置決め構造１１によりパッドのような無線充電式電熱パッド５を自在に着脱できる。
【００１６】
充電装置６の本体６０内に発射回路６１が設けられ、発射回路６１に電源ユニット６２が接続された。電源ユニット６２が電源コンセント７に差し込まれて交流電流が導入され、発射回路６１は、交流信号を受信回路５１に無線伝送で発送して受信され、該交流信号が受信回路５１により電気に変換され、二次電池５１４により該変換された電気を蓄えて発光素子５２に電気を供給する。
【００１７】
使用時に、二次電池５１４は、発熱素子５２に電気を供給して発熱させ、手袋を嵌めたときに、発熱素子５２からの熱が手袋内層の綿地層を透過して、人の手に保温、暖め維持の効果を付与する。
【００１８】
図１Ｃに示された本考案の回路ブロック図は、本考案の第１〜第３実施例が共有する回路である。
【００１９】
充電装置６の発射回路６１は、振動分周回路６１１と、駆動増幅回路６１２と、一次発射共振回路６１３と発射コイル６１４とを含み、且つ、各々が電気的に直列に接続されている。さらに、充電装置６の発射回路６１は、フィードバック検知回路６１５と制御調節回路６１６とを含むのが好ましい。また、フィードバック検知回路６１５と制御調節回路６１６とが、振動分周回路６１１、駆動増幅回路６１２、一次発射共振回路６１３及び発射コイル６１４の各々にも電気的に直列に接続されている。
【００２０】
電気を供給する電源ユニット６２が振動分周回路６１１に電気的に接続されて電気を交流信号に変換する。駆動増幅回路６１２が振動分周回路６１１に電気的に接続されて振動分周回路６１１により変換された交流信号を増幅させる。一次発射共振回路６１３が駆動増幅回路６１２に電気的に接続されて該増幅された交流信号を同調させる。発射コイル６１４が一次発射共振回路６１３に電気的に接続されて同調された交流信号を上記の受信回路５１に伝送する。フィードバック検知回路６１５が発射コイル６１４に電気的に接続され、制御調節回路６１６が振動分周回路６１１とフィードバック検知回路６１５との間に電気的に接続され、フィードバック検知回路６１５は、発射コイル６１４からの交流信号を制御調節回路６１６にフィードバックして、制御調節回路６１６は、振動分周回路６１１の振動頻度を調節する。
【００２１】
受信回路５１は、受信誘導コイル５１１と、二次受信共振回路５１２と、ＡＣ/ＤＣ整流平滑定電圧回路５１３とをさらに含む。
【００２２】
受信誘導コイル５１１が発射回路６１からの交流信号を受信し、二次受信共振回路５１２が、受信誘導コイル５１１に電気的に接続されて交流信号を同調し、ＡＣ/ＤＣ整流平滑定電圧回路５１３が、二次受信共振回路５１２に電気的に接続されて、同調された交流信号を整流、定圧するとともに該交流信号を電気に変換させ、上記の二次電池５１４が、ＡＣ/ＤＣ整流平滑定電圧回路５１３に電気的に接続されて、ＡＣ/ＤＣ整流平滑定電圧回路５１３により変換された電気を蓄える。
【００２３】
＜第２実施例＞
図２Ａ、図２Ｂ及び図１Ｃに示すように、本考案の第２実施例は靴に適用した場合を示す。本考案による第２実施例の無線充電式電熱パッド５ａ及びその回路ブロック図は、第１実施例と同じであり、無線充電式電熱パッド５ａの外形及び適用された製品２のみが第１実施例と異なっている。
【００２４】
製品２には可動式位置決め構造２１が設けられている。第２実施例の場合、該製品２は、様々な靴、例えば、革靴、運動靴又はスニーカーなどである。無線充電式電熱パッド５ａは、付加型シューズマット、例えば、市場に単独で販売されている様々な付加型シューズマットであり、パッド本体５０に上記の受信回路５１及び発熱素子５２が設けられている。上記の可動式位置決め構造１１は、足を収納するための受容部２１１であり、受容部２１１が足を入れることが可能な開口２１２を有する。シューズマット（無線充電式電熱パッド５ａ）は、開口２１２を経由して敷き／取出自在のようにシューズ（製品２）の受容部２１１内に収納可能になっている。
【００２５】
図２Ａに示すように、充電装置６ａは足踏みマットであり、充電装置６ａの本体６０に上記の発射回路６１と電源ユニット６２とが設けられている。使用時に、マットには電源ユニット６２により交流電が導入され、発射回路６１は、交流信号を無線伝送で発送し、ユーザが靴で足踏みマットの対応位置に踏むと、発射回路６１の発射コイル６１４により伝送された交流信号が、シューズマットの受信回路５１の受信誘導コイル５１１により受信され、二次電池５１４を充電する。二次電池５１４は、電気を発熱素子５２に供給して発熱させ、人が該靴を履くと、発熱素子５２からの熱がシューズマットを介して足に保温、暖め維持、及び乾燥維持する効果を付与する。
【００２６】
図２Ｂに示すように、充電装置６ｂは靴置きマットであり、充電装置６ｂの本体６０に複数の発射回路６１（図に複数の発射コイル６１４だけが示されているが、発射回路６１が省略して示されておらず）と電源ユニット６２とが設けられ、これらの発射回路６１が電源ユニット６２に共有して接続されている。使用時に、靴置きマットには電源ユニット６２により交流電が導入され、複数の発射コイル６１４は、交流信号を無線伝送で発送し、ユーザが靴を靴置きマットの対応位置に置くと、発射回路６１の発射コイル６１４により伝送された交流信号が、シューズマットの受信回路５１の受信誘導コイル５１１により受信され、二次電池５１４を充電する。
【００２７】
＜第３実施例＞
図３及び図１Ｃに示すように、本考案の第３実施例は衣服に適用場合を示す。本実施例における無線充電式電熱パッド５ｂ及びその回路ブロック図は、既述した第１実施例と同じであり、無線充電式電熱パッド５ｂの外形及び適用された製品３のみが第１実施例と異なっている。
【００２８】
製品３には可動式位置決め構造３１が設けられる。第３実施例の場合、該製品３は様々な服である。可動式位置決め構造３１は、例えば、ポケット式の受容部３１１であり、受容部３１１がサンドイッチのように服の内側に設けられ、受容部３１１は、開口３１２をさらに有し、無線充電式電熱パッド５ｂが開口３１２を経由して服の受容部３１１内に収納された。よって、無線充電式電熱パッド５ｂが衣服に着脱可能に結合され、ユーザは、可動式位置決め構造３１によりパッドのような無線充電式電熱パッド５ｂを自在に着脱できる。
【００２９】
使用時には、衣服に無線充電式電熱パッド５ｂが可動式位置決め構造３１により着脱可能に結合され、発熱素子５２からの熱を拡散して排出し、ユーザが衣服を着るときに保温、暖め維持の効果を備える。充電しようとすると（図３に充電装置が省略され）、図１Ａに示す充電装置６のみを無線充電式電熱パッド５ｂの対応位置に対応すれば、非接触方式で二次電池５１４を無線充電することができる。
【００３０】
上記の第１、第３実施例では、充電装置６の本体６０には、クリップが付加して装着されても良い（図示せず）。該クリップで手袋又は衣服に挟持させることにより、充電装置６を手袋又は衣服の対応位置に位置決めさせる。また、先の第１、第３実施例の受信回路５１は、スイッチ５１５をさらに有する。スイッチ５１５は、二次電池５１４の電気供給がオン（ＯＮ）／オフ（ＯＦＦ）のいずれかの状態を制御する。本考案に係る無線充電式電熱パッドは、様々な手袋、靴及び衣服、又は服装に適用されることの他に、枕、治療敷きマット、帽子、座布団、又はマットレスなどの製品にも適用することができる。
【００３１】
本考案による無線接続式光源構造は、以下を特徴としている。
【００３２】
（１）非接触の無線充電方式により、充電時に極めて大きな利便性を備える。
（２）手袋、靴又は衣服などの製品に無線充電式電熱パッドが結合されることにより、該製品を着用する人の体に保温、暖め維持及び乾燥保持（特に靴に適用される場合、足の乾燥を保持できる）の効果を付与する。
（３）本考案の無線充電式電熱パッド５、５ａ、５ｂが可動式位置決め構造１１、１２、１３により着脱自在になるので、無線充電式電熱パッドを取り外した後に、該電熱パッドをメンテナンスし易くなり、製品１、２、３の水洗いも可能で、水洗いによるショート、故障への心配がなくなるなどの効果を備える。
（４）二次電池５１４は、最も新しく研究開発されたシート状の可撓性電池であり、人が着用する製品により適用されることになる。
（５）また、無線充電式電熱パッドがシューズマットである場合はつぎの利点が得られる。
ａ．足の裏に直接的に接触されるため、より好適な熱効率を備える。
ｂ．受信回路５１が絶縁されると、シューズマットを取り出してクリーニングすることにより、シューズマットの清潔を保持できる。
ｃ．靴とシューズマットとが別々に製造されれば、ユーザが新しいシューズマットを交換自在になる。
ｄ．ユーザは一つのシューズマットのみ購入すれば、他の靴と共用できる。
ｅ．ユーザ個人の足形状に応じて作製することができる。
ｆ．異なる目的或いは路面状況に応じて異なるシューズマットを使用できる。
（６）本考案の無線充電式電熱パッドは、ポケットカイロのように衣服と衣服との間に平坦に貼り付けられても良い、ポケットカイロのように衣服のポケットや、ズボン、スカートのポケット内に直接的に収容されても良いので、使用便利、どこに行っても使用可能な利便性の効果を備え、さらに、無線充電の機能を備えるので、新しく買う必要ないような環境保護の効果を備える。
（７）本考案の無線充電式電熱パッドは、防水構造（例えば、防水層又は防水ゲルなど）を増設しても良い、よって、使用上に電気漏れのない安全性の効果を備える。
【００３３】
以上のように単に本考案の好ましい実施例に過ぎず、本考案の実用新案登録請求の範囲を局限するものではなく、いずれの当該分野における通常の知識を有する専門家は、本考案の分野の中で、適当に変更や修飾などを実施できるが、それらの実施が本考案の主張範囲内に納入されるべきことは言うまでもないことである。
【符号の説明】
【００３４】
１、２、３    製品
５、５ａ、５ｂ    無線充電式電熱パッド
６、６ａ、６ｂ    充電装置
７    電源コンセント
１１、２１、３１    可動式位置決め構造
５０    パッド本体
５１    受信回路
５２    発熱素子
６０    本体
６１    発射回路
６２    電源ユニット
１１１、２１１、３１１    受容部
１１２、２１２、３１２    開口
５１１    受信誘導コイル
５１２    二次受信共振回路
５１３    ＡＣ/ＤＣ整流平滑定電圧回路
５１４    二次電池
５１５    スイッチ
６１１    振動分周回路
６１２    駆動増幅回路
６１３    一次発射共振回路
６１４    発射コイル
６１５    フィードバック検知回路
６１６    制御調節回路
【図１Ａ】
0003167848.tif 000003
【図１Ｂ】
0003167848.tif 000004
【図１Ｃ】
0003167848.tif 000005
【図２Ａ】
0003167848.tif 000006
【図２Ｂ】
0003167848.tif 000007
【図３】
0003167848.tif 000008